(57)【要約】      （修正有）【課題】多用途に応用可能な歯間クリーナー構造を提供する。【解決手段】湾曲部１１及び持ち手１２からなり、湾曲部１１はその下方に歯間糸１１０を設置し、持ち手１２は本体１の後段に湾曲部１１から斜めに延長して形成し、持ち手１２の末端には歯間清掃用の尖った先端部１２１を設け、更に、本体１の持ち手１２の中央少なくとも一側に滑り止め紋１２２を設置する。滑り止め紋１２２は多数の筋形状もしくは多数の凸粒形状もしくはその他滑り止め機能を備えた各種形状とする。また、湾曲部１１の前段１１１の少なくとも一側に少なくとも一個の舌苔取部１３を設置する。【選択図】図１
0003186875.tif 000002
【実用新案登録請求の範囲】
【請求項１】
歯間クリーナー構造において、
湾曲部及び持ち手からなり、
該湾曲部は本体の前段に設置されて、且つその下方に向けて歯間糸を張設し、
また、該持ち手は本体の後段に設置されて、上記湾曲部の後上端から斜めに延長して形成され、
前記湾曲部の前段の少なくとも一側に舌苔をこそげ取るためのコケ取部を設置し、該舌苔取部は凸形状で且つその外側面は平面形状に形成したことを特徴とする歯間クリーナー構造。
【請求項２】
前記本体の持ち手は、末端に歯間清掃用の尖らせた先端部を設置したことを特徴とする請求項１記載の歯間クリーナー構造。
【請求項３】
前記本体の持ち手は、中央の少なくとも一側に滑り止め紋を設置したことを特徴とする請求項１もしくは２記載の歯間クリーナー構造。
【請求項４】
前記持ち手の滑り止め紋は、多数の筋形状もしくは多数の凸粒形状もしくはその他滑り止め機能を備えた各種形状であることを特徴とする請求項３記載の歯間クリーナー構造。
【考案の詳細な説明】
【技術分野】
【０００１】
本考案は、歯間クリーナー構造に関するもので、特に本体の湾曲部の糸と持ち手末端の先端部で歯間の異物を掻き出すと共に、湾曲部の前段に舌苔取部を設置し舌表面の舌苔を掻き出すなど、多用途に備え、同時に口腔に対して清掃する歯間クリーナー構造に係わる。
【背景技術】
【０００２】
舌苔は、口腔細菌が混じった代謝物、粘膜細胞の剥離物、食物の残渣もしくはその他から構成される。また、舌苔は、ピンク色の舌に薄く白い舌苔が付着する。舌苔が厚くなると病気の発生を表す。例として、舌苔が白濁している場合、便秘もしくは胃腸方面の疾病があることを表している。舌苔がもしも暗褐色である場合、舌表面が真菌に感染し、胃炎方面疾病を起こしていることを表す。また、舌苔が黒い場合、熱疾病が重く、抗生物質の服用が多すぎることを表す。舌苔が乾燥して剥離する場合、栄養失調であることを表す。舌苔が光沢のある赤色で舌苔がない場合、悪性貧血である事を表す。このように、一般的に舌苔を見て疾病の有無を知ることができる。
舌苔取りは口腔細菌の代謝物、粘膜細胞の剥離物及び食べ物残渣もしくはその他の物等からなる構成の苔をこそぎ取り、細菌と毒素が充満した苔が再び体内に入って肝臓、腎臓の負担を高めるのを防止する。また舌表面を広げることで粗くなり、食物がその中に入り込みやすくなり、口腔の汚れとなったり、口臭の原因になったりする。長時間溜まってくると、粘った歯垢が形成され、歯周病も発生する。また舌苔が厚すぎると、舌から病気の判断を見ることができなくなる。一般的に舌苔を取り除くため、ほとんどはタオルもしくは清潔なカーゼを指に巻きつけて舌を拭くようにするが、この方法は非常に不便であり、該分厚いタオルもしくはガーゼを指に巻きつけると、口腔に入れにくくなり、口腔内で自在に動かすことができず、また舌根箇所から前向きに動かすと（即ち口腔内の内から外向き）、力が入りすぎて舌味蕾を傷つけやすく、吐き気をもよおし胃腸を傷つけ、それらが過ぎると口腔粘膜細胞を過度に刺激して病気になりやすい。更に、一般従来の糸棒の目的はただ糸を提供するだけで歯間の汚れを取り除くための単一機能しかなく、特に口腔内に対して舌苔を取り除くことは非常に重要であるため、他にタオルもしくは清潔なガーゼを用意しなければならない。
【先行技術文献】
【特許文献】
【０００３】
【特許文献１】特開２０１１−１６１１８７号公報
【特許文献２】特開２０１３−１３５７８号公報
【考案の概要】
【考案が解決しようとする課題】
【０００４】
解決しようとする問題点は、従来の歯間クリーナーは応用範囲が狭く、口腔内での多様な機能を達成することができず、実用性として不足する点である。そのため、本考案では本体の湾曲部の糸と持ち手の末端の先端部で歯間の異物を取り除き、湾曲部の前段の舌苔取部が舌表面の舌苔をこそぎ取り、口腔クリーニングに対して様々な広い用途に応用され、簡単で使いやすい、歯間クリーナー構造を提供する。
【課題を解決するための手段】
【０００５】
本考案は、本体とコケ取部からなる。本体は、湾曲部及び持ち手を具える。湾曲部は本体の前段に設置し、その下方に糸を設置する。また、持ち手は本体の後段に設置し、湾曲部の後上端から斜めに伸びる。持ち手の末端は先端部を設置し、更に本体の持ち手の中央少なくとも一側に滑り止め紋を設置する。該滑り止め紋は多数の筋形状もしくは多数の凸粒形状もしくはその他の滑り止め機能を備えた各種形状とする。また少なくとも一個の舌苔取部は、湾曲部の前段の少なくとも一側に設置する。また該舌苔取部は凸形状で且つその外側面は平面形状である。本体の湾曲部の糸と持ち手の末端の先端部で歯間の異物を取り除き、湾曲部の前段の舌苔取部により舌表面の舌苔をこそぎ取ることを最も主要な特徴とする。
【考案の効果】
【０００６】
本考案の歯間クリーナー構造は、多用途に適用でき、簡単に操作でき、口腔内を清潔にするという利点がある。
【図面の簡単な説明】
【０００７】
【図１】本考案の分解斜視図である。
【図２】本考案の組立斜視図である。
【図３】本考案の組立断面図である。
【図４】本考案の滑り止め紋の他の一実施例図である。
【図５】本考案の舌苔取り及び歯間のクリーニングの実施例図一である。
【図６】本考案の舌苔取り及び歯間のクリーニングの実施例図二である。
【図７】本考案の持ち手末端の先端部を用いた実施例図である。
【考案を実施するための形態】
【０００８】
本体の湾曲部の糸と持ち手の末端の先端部で歯間の異物を取り除き、少なくとも一個の舌苔取部は、湾曲部の前段の少なくとも一側に設置され、該舌苔取部は凸形状で且つその外側面は平面形状であり少なくとも一個のコケ取部設置され舌表面の舌苔をこそぎ取り、口腔に対して多種の用法でクリーニングでき、現在の技術を改善する歯間クリーナーを提供することを本考案の主な目的とする。
【０００９】
簡単で使いやすく歯間クリーナー構造を提供することを本考案の目的とする。
【００１０】
本考案が解決する問題として、舌苔は、口腔細菌が混じった代謝物、粘膜細胞の剥離物、食物の残渣もしくはその他から構成される。舌苔は、ピンク色の舌に薄く白い舌苔が付着する。舌苔が厚くなると病気の発生を表す。例として、舌苔が白濁している場合、便秘もしくは胃腸方面の疾病があることを表している。また、舌苔がもしも暗褐色である場合、舌表面が真菌に感染し、胃炎方面疾病を起こしていることを表す。また、舌苔が黒い場合、熱疾病が重く、抗生物質の服用が多すぎることを表す。舌苔が乾燥して剥離する場合、栄養失調であることを表す。舌苔が光沢のある赤色で舌苔がない場合、悪性貧血である事を表す。このように、一般的に舌苔を見て疾病の有無を知ることができる。舌苔取りは口腔細菌の代謝物、粘膜細胞の剥離物及び食べ物残渣もしくはその他物等構成の苔をこそぎ取り、細菌と毒素が充満した苔が再び体内に入って肝臓、腎臓の負担を高めるのを防止する。また舌表面を広げることで粗くなり、食物がその中に入り込みやすくなり、口腔の汚れとなったり、口臭の原因になったりする。長時間溜まってくると、粘った歯垢が形成され、歯周病も発生する。また舌苔が厚すぎると、舌から病気の判断を見ることができなくなる。一般的に舌苔を取り除くため、ほとんどはタオルもしくは清潔なカーゼを指に巻きつけて舌を拭くようにするが、この方法は非常に不便であり、該分厚いタオルもしくはガーゼを指に巻きつけると、口腔に入れにくくなり、口腔内で自在に動かすことができず、また舌根箇所から前向きに動かすと（即ち口腔内の内から外向き）、力が入りすぎて舌味蕾を傷つけやすく、吐き気をもよおし胃腸を傷つけ、それらが過ぎると口腔粘膜細胞を過度に刺激して病気になりやすい。更に、一般従来の糸棒の目的はただ糸を提供するだけで歯間の汚れを取り除くための単一機能しかなく、特に口腔内に対して舌苔を取り除くことは非常に重要であるため、他にタオルもしくは清潔なガーゼを用意しなければならないため、使用範囲が小さく、口腔内で様々な効果を得ることができず、実用性として不足する。
【００１１】
上述の目的を達成するため、本考案が歯間クリーナー構造を提供する。それは以下の構成からなる。
【００１２】
本体は湾曲部及び持ち手からなる。湾曲部は本体の前段に設置し、且つその下方に糸を設置し、持ち手は本体の後段に設置し、湾曲部の後上端から傾斜して伸びる。
【００１３】
少なくとも一個のコケ取部は、湾曲部の前段の少なくとも一側に設置し、該舌苔取部は凸出形状で且つその外側は平面形状である少なくとも一個のコケ取部を有する。
【００１４】
本考案の本体の持ち手末端は先端部を設置する。
【００１５】
更に、本考案の本体の持ち手中央は、少なくとも一側に滑り止め紋を設ける。
【００１６】
本考案の持ち手の滑り止め紋は、多数の筋形状もしくは多数の凸粒形状もしくはその他滑り止め機能を備えた各種形状である。
【００１７】
この構造によって、本考案は、本体の湾曲部の糸と持ち手の末端の先端部によって歯間の異物を取り除き、湾曲部の前段の少なくとも一側の舌苔取部は凸形状で且つその外側面は平面形状である少なくとも一個のコケ取部により舌苔を取り除き、多用途で口腔に対して簡単に使いやすく操作でき同時に様々にクリーニングする歯間クリーナー構造提供する。
【実施例】
【００１８】
本考案の特徴、内容及び長所とその効果を説明するため、以下の図により本考案を、実施例を挙げて説明する。但し、文中に使用する図式は説明するためのものであり、本考案実施の形態を正確に表すためであり、本考案を制限するものではなく、本考案から乖離しない各種入替及び修飾も含み、以下の請求項に属するものとする。
【００１９】
図１、図２、図３に示すのは、本考案の立体斜視図、本考案の組立斜視図、本考案の組立断面図である。本考案の歯間クリーナー構造のうちの良好な実施例は本体１に少くなくとも１つの舌苔取部１３を有する。
【００２０】
前述の本体１は、湾曲部１１及び持ち手１２を具える。湾曲部１１は本体１の前段に設置し、且つその下方には糸１１０を設置する。また持ち手１２は本体１の湾曲部１１の後上端が傾斜して延長する後段に設置する。本考案の本体１の持ち手１２末端には先端部１２１を設置し、更に本考案の本体１の持ち手１２中央の少なくとも一側には滑り止め紋１２２を設置する。本実施例の該滑り止め紋１２２は多数の筋形状であるが、これに制限されず、多数の凸粒形状（図４に示すとおり、本考案の滑り止め紋は別の実施例図である）、もしくはその他滑り止めできる各種形状でもよく、それらは本考案の請求項に含まれる。
【００２１】
前述の少なくとも１つの舌苔取部１３は、湾曲部１１の前段１１１の少なくとも一側に設置し、本実施例の該舌苔取部１３の数は二個で、且つ湾曲部１１の前段１１１の両側に設置する。該舌苔取部１３は凸形状でその外側面は平面形状である。
【００２２】
図５、図６、図７に示すのは、本考案の舌苔取り及び歯間のクリーニングの実施例図一、二で、本考案の持ち手末端の先端部を使用する実施例図である。本考案を使用するのに、簡単で，手４の指４１で本体の持ち手１２を握るだけでよく、また、本考案の持ち手１２上に別に滑り止め紋１２２を設置することにより、更に滑り止めの効果が向上する。本体１を口腔５の舌３表面３１に深く入れるだけでよく、内から外に向けて舌３表面３１に付着した舌苔３１１を舌苔取部１３により軽く擦り取るだけでよい。舌苔３１１を取り除き、また、本体１の前段の湾曲部１１下方に設置した糸１１０で歯２と歯２間の歯間２１に対して汚れを取り除く（図６参照）。本考案は、湾曲部１１下方の糸１１０で歯２と歯２間の歯間２１の汚れをクリーニングする他に、持ち手１２末端の尖らせた先端部１２１で歯２と歯２間の歯間２１の汚れをクリーニングする（図７参照）。
【００２３】
この構造によって、本考案は、本体１の湾曲部１１の糸１１０と持ち手１２の末端の尖らせた先端部１２１で歯２間の異物を取り除き、更に、湾曲部１１の一側面の舌苔取部１３によって舌３表面３１の舌苔３１１をこそげ取ることができるなど多用途に適し、口腔５に対して簡単に操作して、同時に様々なクリーニングをする。そのため、便利性が高く、実用性があり、使用者のニーズに合う。 
【００２４】
上述から分かる通り、本考案は従来の技術を超えるものであり、効果を更に高めるものである。本考案は当技術に習熟してないと考えられない技術であり、また公開されておらず、且つ進歩性、実用性を備え、考案の申請条件に符合する。
【００２５】
以上、上述の実施例は本考案の技術思想及び特徴を説明するためだけのものである。そのため、当領域に習熟した者が本考案の内容を理解するため物であり、本考案の請求範囲を制限するものではない。拠って、本考案の精神に基づく変化もしくは修飾は本考案の請求範囲に属するものとする。
【符号の説明】
【００２６】
１      本体
１１      湾曲部
１１０      糸
１１１      前段
１２       持ち手
１２１      先端部
１２２      滑り止め紋
１３      舌苔取部
１３１      外側面
１３２      高低部
１３３      平面部
２      歯
２１      歯間
３      舌
３１      表面
３１１     舌苔
４      手
４１      指
５      口腔
【図１】
0003186875.tif 000003
【図２】
0003186875.tif 000004
【図３】
0003186875.tif 000005
【図４】
0003186875.tif 000006
【図５】
0003186875.tif 000007
【図６】
0003186875.tif 000008
【図７】
0003186875.tif 000009
【手続補正書】
【提出日】平成25年9月3日(2013.9.3)
【手続補正１】
【補正対象書類名】実用新案登録請求の範囲
【補正対象項目名】請求項４
【補正方法】変更
【補正の内容】
【請求項４】
前記持ち手の滑り止め紋は、多数の筋形状もしくは多数の凸粒形状もしくはその他凹凸形状からなることを特徴とする請求項３記載の歯間クリーナー構造。